(57)【要約】【課題】生体を正しく検知できる、高速かつ低消費電力の生体情報処理装置を提供する。【解決手段】センシングデバイス１０は、２次元状に配置された第１のセンサ素子１１と、第１のセンサ素子１１と同一平面上に配置され、第１のセンサ素子１１とは異なる方式で動作する第２のセンサ素子１２とを含んでいる。信号処理部２０は、第２のセンサ素子１２の出力信号３２に基づき指置きを検知した後に、第１のセンサ素子１１の出力信号３１に基づき指紋画像を生成し、生成した指紋画像を登録済みの指紋画像と照合する。第１のセンサ素子１１には静電容量式のセンサ素子、第２のセンサ素子１２には感圧式のセンサ素子が使用される。【選択図】図１
2007167471.tif 000002
【特許請求の範囲】
【請求項１】
生体情報を取得して処理する生体情報処理装置であって、
２次元状に配置された第１のセンサ素子と、前記第１のセンサ素子と同一平面上に配置され、前記第１のセンサ素子とは異なる方式で動作する第２のセンサ素子とを含むセンシングデバイスと、
前記第２のセンサ素子の出力信号に基づき生体を検知した後に、前記第１のセンサ素子の出力信号に基づき生体情報を取得し、取得した生体情報に対して所定の処理を実行する信号処理部とを備えた、生体情報処理装置。
【請求項２】
前記第１のセンサ素子は、静電容量式のセンサ素子であることを特徴とする、請求項１に記載の生体情報処理装置。
【請求項３】
前記第２のセンサ素子は、感圧式のセンサ素子であることを特徴とする、請求項１に記載の生体情報処理装置。
【請求項４】
前記第１のセンサ素子は、指紋画像を表す信号を出力することを特徴とする、請求項１に記載の生体情報処理装置。
【請求項５】
前記信号処理部は、前記第１のセンサ素子の出力信号に基づき指紋画像を生成し、生成した指紋画像を登録済みの指紋画像と照合することを特徴とする、請求項４に記載の生体情報処理装置。
【請求項６】
前記第２のセンサ素子は、前記第１のセンサ素子の配置領域の中央に配置されていることを特徴とする、請求項１に記載の生体情報処理装置。
【請求項７】
前記第２のセンサ素子は、前記第１のセンサ素子よりも少数であることを特徴とする、請求項１に記載の生体情報処理装置。
【請求項８】
前記第２のセンサ素子は、前記第１のセンサ素子の配置領域内に１個配置されていることを特徴とする、請求項７に記載の生体情報処理装置。
【請求項９】
前記第２のセンサ素子は、前記第１のセンサ素子の配置領域内に複数個配置されていることを特徴とする、請求項７に記載の生体情報処理装置。
【請求項１０】
前記第２のセンサ素子は、前記第１のセンサ素子の配置領域内に１次元状に連続して配置されていることを特徴とする、請求項９に記載の生体情報処理装置。
【請求項１１】
前記第２のセンサ素子は、前記第１のセンサ素子の配置領域内に１次元状に間隔を空けて配置されていることを特徴とする、請求項９に記載の生体情報処理装置。
【請求項１２】
前記第２のセンサ素子は、前記第１のセンサ素子の配置領域内に２次元状に連続して配置されていることを特徴とする、請求項９に記載の生体情報処理装置。
【請求項１３】
前記第２のセンサ素子は、前記第１のセンサ素子の配置領域内に２次元状に間隔を空けて配置されていることを特徴とする、請求項９に記載の生体情報処理装置。
【請求項１４】
前記第２のセンサ素子は、前記第１のセンサ素子の配置領域内に２次元状にグループごとに間隔を空けて、かつ、グループ内では連続して配置されていることを特徴とする、請求項９に記載の生体情報処理装置。
【請求項１５】
前記信号処理部は、前記第２のセンサ素子の出力信号のうち所定数以上または所定の割合以上の信号が生体検知を示したときに、生体を検知したと判断することを特徴とする、請求項９に記載の生体情報処理装置。
【請求項１６】
生体情報を取得して処理する生体情報処理方法であって、
２次元状に配置された第１のセンサ素子と、前記第１のセンサ素子と同一平面上に配置され、前記第１のセンサ素子とは異なる方式で動作する第２のセンサ素子とを含むセンシングデバイスを用いて、
前記第２のセンサ素子の出力信号に基づき生体を検知するステップと、
前記第１のセンサ素子の出力信号に基づき生体情報を取得するステップと、
取得した生体情報に対して所定の処理を実行するステップとを備えた、生体情報処理方法。
【請求項１７】
生体情報を取得して処理する生体情報処理をコンピュータに実行させるためのプログラムであって、
２次元状に配置された第１のセンサ素子と、前記第１のセンサ素子と同一平面上に配置され、前記第１のセンサ素子とは異なる方式で動作する第２のセンサ素子とを含むセンシングデバイスが与えられたときに、
前記第２のセンサ素子の出力信号に基づき生体を検知するステップと、
前記第１のセンサ素子の出力信号に基づき生体情報を取得するステップと、
取得した生体情報に対して所定の処理を実行するステップとをコンピュータに実行させるためのプログラム。
【請求項１８】
請求項１７に記載のプログラムを記録したコンピュータ読み取り可能な記録媒体。
【発明の詳細な説明】
【技術分野】
【０００１】
本発明は、指紋などの生体情報を取得して処理する生体情報処理装置および生体情報処理方法に関する。
【背景技術】
【０００２】
近年、指紋、虹彩、血管パターン、顔の形状などの生体情報を用いて個人を認証する生体認証技術が開発され、一部の技術が実用化されている。生体認証の中では指紋画像を用いて個人を認証する指紋認証に関して、これまでに多くの技術が開発されている。
【０００３】
図６は、一般的な指紋認証処理のフローチャートである。指紋認証を行う生体情報処理装置は、指紋センサを備え、図６に示す３つのステップを実行する。生体情報処理装置は、まず指置き検知ステップ（ステップＳ１）において、指紋センサに指が置かれたことを検知する。次に、この装置は、センシングステップ（ステップＳ２）において、指紋センサから指紋画像を取得する。最後に、この装置は、指紋照合ステップ（ステップＳ３）において、センシングステップで取得した指紋画像を登録済みの指紋画像と照合する。
【０００４】
指紋センサは、光学式のものと非光学式のものとに分類される。非光学式の指紋センサは、光学式の指紋センサよりも小型で低コスト化が可能という特徴がある。非光学式の指紋センサの中では、静電容量式のものが広く知られている（例えば、特許文献１）。静電容量式の指紋センサは、センサ面に指を置いたときに、指紋の凹部と凸部とではセンサ面までの距離が異なるために静電容量が異なるという性質に基づき、指紋画像を表す信号を出力する。
【０００５】
静電容量式の指紋センサを備えた従来の生体情報処理装置は、以下に示す方法で指置きを検知する。センサ面に指を置いたときと、指を置いていないときとを比較すると、センサ素子（キャパシタ）の電荷蓄積速度は前者のときのほうが速い。そこで、所定時間内に所定数のセンサ素子に蓄積された電荷量の合計が大きいか小さいかによって、指が置かれているか否かを判断することができる。例えば、図７（ａ）において、指を置いたときの蓄積電荷量Ｑ１が実線のように変化し、指を置いていないときの蓄積電荷量Ｑ０が破線のように変化する場合、生体情報処理装置は、蓄積電荷量の差ΔＱ１（＝Ｑ１−Ｑ０）が予め定めた閾値以上であれば、指が置かれたと判断する。
【０００６】
なお、本願発明に関連する技術として、特許文献２には、静電容量式容量検出素子とＭＥＭＳ（Micro Electro Mechanical Systems）式容量検出素子とを交互に配置した平面形状認識用センサが開示されている。この文献には、２種類の検出素子を用いて２種類の指紋画像を求める方法が開示されている。
【特許文献１】特許第３００７７１４号明細書
【特許文献２】特開２００５−２４４８０号公報
【発明の開示】
【発明が解決しようとする課題】
【０００７】
しかしながら、静電容量式の指紋センサを用いた従来の生体情報処理装置には、指置き検知を正しく行えないという問題がある。例えば、センサ面に乾燥した指を置いたときの電荷蓄積速度が、指を置いていないときの電荷蓄積速度とほぼ同じになることがある。この場合、生体情報処理装置は指置き検知を正しく行えない。具体的には、図７（ｂ）において、センサ面に乾燥した指を置いたときの蓄積電荷量Ｑ２が実線のように変化する場合、蓄積電荷量の差ΔＱ２（＝Ｑ２−Ｑ０）が予め定めた閾値に達しないことがある。このように指置きを正しく検知できない場合、生体情報処理装置は、指置き検知以降の処理（センシングおよび指紋照合）を実行できない。
【０００８】
また、指紋認証の所要時間は短いことが好ましいが、上記の指置き検知方法では、乾燥した指などでは１回の指置き検知に時間がかかり、また、指置き検知に失敗することもある。このため指置き検知が繰り返し実行され、指紋認証の所要時間が長くなり、指置き検知に要する消費電力が増大するという問題も生じる。
【０００９】
それ故に、本発明は、生体を正しく検知できる、高速かつ低消費電力の生体情報処理装置および生体情報処理方法を提供することを目的とする。
【課題を解決するための手段】
【００１０】
第１の発明は、生体情報を取得して処理する生体情報処理装置であって、
２次元状に配置された第１のセンサ素子と、前記第１のセンサ素子と同一平面上に配置され、前記第１のセンサ素子とは異なる方式で動作する第２のセンサ素子とを含むセンシングデバイスと、
前記第２のセンサ素子の出力信号に基づき生体を検知した後に、前記第１のセンサ素子の出力信号に基づき生体情報を取得し、取得した生体情報に対して所定の処理を実行する信号処理部とを備える。
【００１１】
第２の発明は、第１の発明において、
前記第１のセンサ素子は、静電容量式のセンサ素子であることを特徴とする。
【００１２】
第３の発明は、第１の発明において、
前記第２のセンサ素子は、感圧式のセンサ素子であることを特徴とする。
【００１３】
第４の発明は、第１の発明において、
前記第１のセンサ素子は、指紋画像を表す信号を出力することを特徴とする。
【００１４】
第５の発明は、第４の発明において、
前記信号処理部は、前記第１のセンサ素子の出力信号に基づき指紋画像を生成し、生成した指紋画像を登録済みの指紋画像と照合することを特徴とする。
【００１５】
第６の発明は、第１の発明において、
前記第２のセンサ素子は、前記第１のセンサ素子の配置領域の中央に配置されていることを特徴とする。
【００１６】
第７の発明は、第１の発明において、
前記第２のセンサ素子は、前記第１のセンサ素子よりも少数であることを特徴とする。
【００１７】
第８の発明は、第７の発明において、
前記第２のセンサ素子は、前記第１のセンサ素子の配置領域内に１個配置されていることを特徴とする。
【００１８】
第９の発明は、第７の発明において、
前記第２のセンサ素子は、前記第１のセンサ素子の配置領域内に複数個配置されていることを特徴とする。
【００１９】
第１０の発明は、第９の発明において、
前記第２のセンサ素子は、前記第１のセンサ素子の配置領域内に１次元状に連続して配置されていることを特徴とする。
【００２０】
第１１の発明は、第９の発明において、
前記第２のセンサ素子は、前記第１のセンサ素子の配置領域内に１次元状に間隔を空けて配置されていることを特徴とする。
【００２１】
第１２の発明は、第９の発明において、
前記第２のセンサ素子は、前記第１のセンサ素子の配置領域内に２次元状に連続して配置されていることを特徴とする。
【００２２】
第１３の発明は、第９の発明において、
前記第２のセンサ素子は、前記第１のセンサ素子の配置領域内に２次元状に間隔を空けて配置されていることを特徴とする。
【００２３】
第１４の発明は、第９の発明において、
前記第２のセンサ素子は、前記第１のセンサ素子の配置領域内に２次元状にグループごとに間隔を空けて、かつ、グループ内では連続して配置されていることを特徴とする。
【００２４】
第１５の発明は、第９の発明において、
前記信号処理部は、前記第２のセンサ素子の出力信号のうち所定数以上または所定の割合以上の信号が生体検知を示したときに、生体を検知したと判断することを特徴とする。
【００２５】
第１６の発明は、生体情報を取得して処理する生体情報処理方法であって、
２次元状に配置された第１のセンサ素子と、前記第１のセンサ素子と同一平面上に配置され、前記第１のセンサ素子とは異なる方式で動作する第２のセンサ素子とを含むセンシングデバイスを用いて、
前記第２のセンサ素子の出力信号に基づき生体を検知するステップと、
前記第１のセンサ素子の出力信号に基づき生体情報を取得するステップと、
取得した生体情報に対して所定の処理を実行するステップとを備える。
【００２６】
第１７の発明は、生体情報を取得して処理する生体情報処理をコンピュータに実行させるためのプログラムであって、
２次元状に配置された第１のセンサ素子と、前記第１のセンサ素子と同一平面上に配置され、前記第１のセンサ素子とは異なる方式で動作する第２のセンサ素子とを含むセンシングデバイスが与えられたときに、
前記第２のセンサ素子の出力信号に基づき生体を検知するステップと、
前記第１のセンサ素子の出力信号に基づき生体情報を取得するステップと、
取得した生体情報に対して所定の処理を実行するステップとをコンピュータに実行させるプログラムである。
【００２７】
第１８の発明は、第１７の発明のプログラムを記録したコンピュータ読み取り可能な記録媒体である。
【発明の効果】
【００２８】
上記第１または第１６の発明によれば、センシングデバイスには２種類のセンサ素子が設けられ、生体検知は第２のセンサ素子の出力信号を用いて、生体検知以降の処理は第１のセンサ素子の出力信号を用いて行われる。したがって、第２のセンサ素子として生体検知に適したセンサ素子を用いることにより、従来よりもより正確に生体を検知することができる。また、生体を正確に検知できるので、生体検知の所要時間を短縮し、生体検知に要する消費電力を削減することができる。このように生体を正しく検知できる、高速かつ低消費電力の生体情報処理装置または生体情報処理方法を得ることができる。
【００２９】
上記第２の発明によれば、静電容量式のセンサ素子を用いて取得可能な生体情報を取得することができる。
【００３０】
上記第３の発明によれば、生体が第２のセンサ素子に接触したときに、生体を検知することができる。
【００３１】
上記第４の発明によれば、生体情報として指紋画像を取得し、取得した指紋画像に対して所定の処理を実行することができる。
【００３２】
上記第５の発明によれば、取得した指紋画像を登録済みの指紋画像と照合することにより、指紋認証を行うことができる。
【００３３】
上記第６の発明によれば、第１のセンサ素子の配置領域の中央に位置する生体を検知することができる。
【００３４】
上記第７の発明によれば、少数の第２のセンサ素子を用いて生体を検知することにより、生体検知の所要時間を短縮し、生体検知に要する消費電力を削減することができる。
【００３５】
上記第８の発明によれば、第２のセンサ素子の存在によって生体検知以降の処理が受ける影響を最小限に抑えながら、生体を正しく検知することができる。
【００３６】
上記第９の発明によれば、複数の第２のセンサ素子を用いて生体を検知することにより、検知精度を高めると共に、第２のセンサ素子の一部が故障したときでも、残りの第２のセンサ素子を用いて生体を正しく検知することができる。
【００３７】
上記第１０の発明によれば、第２のセンサ素子が配置された方向にずれた位置にある生体を正しく検知することができる。
【００３８】
上記第１１の発明によれば、第２のセンサ素子の存在によって生体検知以降の処理が受ける影響を抑えると共に、第２のセンサ素子が配置された方向にずれた位置にある生体を正しく検知することができる。
【００３９】
上記第１２の発明によれば、第２のセンサ素子を連続して配置することにより、間隔を空けて配置したときよりも、第２のセンサ素子の耐久性を高めることができる。
【００４０】
上記第１３の発明によれば、第２のセンサ素子が配置された範囲内でずれた位置にある生体を正しく検知することができる。
【００４１】
上記第１４の発明によれば、第２のセンサ素子が配置された範囲内でずれた位置にある生体を正しく検知すると共に、グループ内で間隔を空けて配置したときよりも、第２のセンサ素子の耐久性を高めることができる。
【００４２】
上記第１５の発明によれば、複数の第２のセンサ素子の出力信号に基づき判断を行うことにより、より正確に生体を検知することができる。
【００４３】
上記第１７または第１８の発明によれば、コンピュータおよび生体情報処理を実行するプログラムを用いて、生体を正しく検知できる、高速かつ低消費電力の生体情報処理装置および生体情報処理方法を得ることができる。
【発明を実施するための最良の形態】
【００４４】
図１は、本発明の実施形態に係る生体情報処理装置の構成を示すブロック図である。図１に示す生体情報処理装置は、センシングデバイス１０、および、信号処理部２０を備えている。この装置は、生体情報として指紋画像を取得し、指紋認証を行う。
【００４５】
センシングデバイス１０は、第１のセンサ素子１１と第２のセンサ素子１２とを含んでいる。第１のセンサ素子１１は、第１のセンサ出力信号３１を出力する。第２のセンサ素子１２は、第１のセンサ素子１１とは異なる方式で動作し、第２のセンサ出力信号３２を出力する。本実施形態では、第１のセンサ素子１１は静電容量式のセンサ素子であり、第２のセンサ素子１２は感圧式のセンサ素子であるとする。なお、第１のセンサ素子１１には、静電容量式のセンサ素子に代えて、光学式のセンサ素子や感圧式のセンサ素子などを使用してもよい。
【００４６】
図２は、センシングデバイス１０におけるセンサ素子の配置例を示す図である。センサ素子の配置を示す図面では、中空の正方形は第１のセンサ素子１１を表し、斜線を付した正方形は第２のセンサ素子１２を表す。第１のセンサ素子１１は２次元状に配置され、第２のセンサ素子１２は第１のセンサ素子１１と同一平面上に配置される。第２のセンサ素子１２は第１のセンサ素子１１よりも少数であり、典型的には、第１のセンサ素子１１の配置領域の中央に配置される。図２に示す例では、第２のセンサ素子１２は、第１のセンサ素子１１の配置領域の中央に１個、その上下左右にそれぞれ１個ずつ、全部で５個配置されている。
【００４７】
図３は、センシングデバイス１０におけるセンサ素子の他の配置例を示す図である。図３（ａ）に示す例では、第２のセンサ素子１２は、第１のセンサ素子１１の配置領域内に１個だけ配置されている。図３（ｂ）に示す例では、第２のセンサ素子１２は、第１のセンサ素子１１の配置領域内に１次元状に連続して配置されている。図３（ｃ）に示す例では、第２のセンサ素子１２は、第１のセンサ素子１１の配置領域に１次元状に間隔を空けて配置されている。図３（ｄ）に示す配置では、第２のセンサ素子１２は、第１のセンサ素子１１の配置領域内に２次元状に連続して配置されている。図３（ｅ）に示す例では、第２のセンサ素子１２は、第１のセンサ素子１１の配置領域内に２次元状に間隔を空けて配置されている。図３（ｆ）に示す例では、第２のセンサ素子１２は、第１のセンサ素子１１の配置領域内に２次元状にグループごとに間隔を空けて、かつ、グループ内では連続して配置されている。
【００４８】
このように第１のセンサ素子１１の配置領域内に第２のセンサ素子１２を１個だけ配置してもよく（図３（ａ））、あるいは複数個配置してもよい（図２、図３（ｂ）〜（ｆ））。また、図２および図３に示した以外の形態に第２のセンサ素子１２を配置してもよいことは言うまでもない。
【００４９】
図４は、信号処理部２０による指紋認証処理のフローチャートである。信号処理部２０は、図４に示すように、第２のセンサ素子１２から出力された第２のセンサ出力信号３２に基づき生体を検知した後に、第１のセンサ素子１１から出力された第１のセンサ出力信号３１に基づき指紋画像を取得し、取得した指紋画像について指紋照合処理を実行する。なお、図４のステップＳ１１〜Ｓ１３は図６のステップＳ１に、ステップＳ２１はステップＳ２に、ステップＳ３１およびＳ３２はステップＳ３にそれぞれ対応する。
【００５０】
図４に示す指紋認証処理では、信号処理部２０は、まず第２のセンサ素子１２から第２のセンサ出力信号３２を受け取る（ステップＳ１１）。次に、信号処理部２０は、受け取った第２のセンサ出力信号３２に基づき、指置きを検知する（ステップＳ１２）。信号処理部２０は、指が置かれたと判断した場合にはステップＳ２１へ進み、それ以外の場合にはステップＳ１１へ進む（ステップＳ１３）。信号処理部２０は、指置きを検知するまでステップＳ１１〜Ｓ１３を繰り返し実行する。
【００５１】
ステップＳ１３でＹｅｓと判断した場合、信号処理部２０は、第１のセンサ素子１１から第１のセンサ出力信号３１を受け取る（ステップＳ２１）。次に、信号処理部２０は、受け取った第１のセンサ出力信号３１に基づき、指紋画像を生成する（ステップＳ３１）。信号処理部２０には、取得した指紋画像と照合するための指紋画像が予め登録されている。そこで、信号処理部２０は、ステップＳ３１で生成した指紋画像を登録済みの指紋画像と照合する（ステップＳ３２）。ステップＳ３２では、指紋画像を照合するために、画像補正、最大一致位置探索、類似度計算などの処理が行われる。
【００５２】
なお、センシングデバイス１０が複数の第２のセンサ素子１２を含む場合、信号処理部２０は、所定数以上または所定の割合以上（例えば、３個以上または全体の１／３以上）の第２のセンサ素子１２の出力信号が生体検知を示す値となったときに、生体を検知したと判断してもよい。特に、信号処理部２０は、１個以上の第２のセンサ素子１２の出力信号が生体検知を示す値となったときに、生体を検知したと判断してもよい。
【００５３】
図５は、本実施形態に係る生体情報処理装置の具体例を示すブロック図である。図５に示す生体情報処理装置は、センシングデバイス１０およびコンピュータ４０を備えている。コンピュータ４０は、ＣＰＵ４１、入力部４２、メモリ４３、ハードディスク４４、外部記憶インターフェイス部４５、表示部４６、および、通信インターフェイス部４７を含んでいる。これらの構成要素は、システムバス４８に接続されている。
【００５４】
図５において、入力部４２は、キーボードやマウスなどの入力装置である。メモリ４３は、ＣＰＵ４１の作業用メモリである。ハードディスク４４は、プログラムやデータを蓄積している。外部記憶インターフェイス部４５は、ＣＤ−ＲＯＭやフレキシブルディスクなどの外部記憶媒体４９用のインターフェイス回路である。表示部４６は、液晶表示装置などの表示装置である。通信インターフェイス部４７は、他のコンピュータなどとの間で通信を行うためのインターフェイス回路である。
【００５５】
外部記憶媒体４９は、コンピュータ読み取り可能な記憶媒体であり、図４に示す指紋認証処理を実行するプログラム（以下、指紋認証プログラムという）を記憶している。この指紋認証プログラムは、外部記憶媒体インターフェイス部４５によって読み出され、ハードディスク４４に蓄積される。あるいは、ハードディスク４４に蓄積される指紋認証プログラムは、通信インターフェイス部４７経由で他のコンピュータなどから受信したものであってもよい。
【００５６】
ハードディスク４４に蓄積された指紋認証プログラムはメモリ４３に転送され、ＣＰＵ４１はメモリ４３上の指紋認証プログラムを実行する。ＣＰＵ４１が指紋認証プログラムを実行している間、コンピュータ４０は信号処理部２０（図１）として機能し、これにより、図１に示す生体情報処理装置が得られる。
【００５７】
以下、本実施形態に係る生体情報処理装置の効果を説明する。上述したように、本実施形態に係る生体情報処理装置は、第１のセンサ素子１１、および、これとは異なる方式で動作する第２のセンサ素子１２を含むセンシングデバイス１０を備え、第２のセンサ素子１２の出力信号を用いて生体を検知し、第１のセンサ素子１１の出力信号を用いて生体検知以降の処理を行う。したがって、第２のセンサ素子１２として生体検知に適したセンサ素子を用いることにより、従来の生体情報処理装置よりもより正確に生体を検知することができる。また、生体を正確に検知できるので、生体検知の所要時間を短縮し、生体検知に要する消費電力を削減することができる。このように生体を正しく検知できる、高速かつ低消費電力の生体情報処理装置を得ることができる。
【００５８】
特に、第１のセンサ素子１１として静電容量式のセンサ素子を用いることにより、静電容量式のセンサ素子を用いて取得可能な生体情報を取得することができる。また、第２のセンサ素子１２として感圧式のセンサ素子を用いることにより、生体が第２のセンサ素子１２に接触したときに、生体を検知することができる。
【００５９】
また、第１のセンサ素子１１が指紋画像を表す信号を出力することにより、生体情報として指紋画像を取得し、取得した指紋画像に対して所定の処理を実行することができる。特に、信号処理部２０が第１のセンサ素子１１の出力信号に基づき指紋画像を生成し、生成した指紋画像を登録済みの指紋画像と照合することにより、指紋認証を行うことができる。
【００６０】
また、第２のセンサ素子１２を第１のセンサ素子１１の配置領域の中央に配置することにより、第１のセンサ素子１１の配置領域の中央に位置する生体を検知することができる。また、第２のセンサ素子１２を第１のセンサ素子１１よりも少数とすることにより、少数の第２のセンサ素子１２を用いて生体を検知して、生体検知の所要時間を短縮し、生体検知に要する消費電力を削減することができる。
【００６１】
また、第２のセンサ素子１２を第１のセンサ素子１１の配置領域内に１個配置する（図３（ａ））ことにより、第２のセンサ素子１２の存在によって生体検知以降の処理が受ける影響を最小限に抑えながら、生体を正しく検知することができる。
【００６２】
また、第２のセンサ素子１２を第１のセンサ素子１１の配置領域内に複数個配置する（図２、図３（ｂ）〜（ｆ））ことにより、複数の第２のセンサ素子１２を用いて生体を検知して、生体の検知精度を高めると共に、第２のセンサ素子１２の一部が故障したときでも、残りの第２のセンサ素子１２を用いて生体を正しく検知することができる。
【００６３】
また、第２のセンサ素子１２を第１のセンサ素子１１の配置領域内に１次元状に連続して配置する（図３（ｂ））ことにより、第２のセンサ素子１２が配置された方向にずれた位置にある生体を正しく検知することができる。
【００６４】
また、第２のセンサ素子１２を第１のセンサ素子１１の配置領域内に１次元状に間隔を空けて配置する（図３（ｃ））ことにより、第２のセンサ素子１２の存在によって生体検知以降の処理が受ける影響を抑えると共に、第２のセンサ素子１２が配置された方向にずれた位置にある生体を正しく検知することができる。
【００６５】
また、第２のセンサ素子１２を第１のセンサ素子１１の配置領域内に２次元状に連続して配置する（図３（ｄ））ことにより、間隔を空けて配置したときよりも、第２のセンサ素子の耐久性を高めることができる。
【００６６】
また、第２のセンサ素子１２を第１のセンサ素子１１の配置領域内に２次元状に間隔を空けて配置する（図３（ｅ））ことにより、第２のセンサ素子１２が配置された範囲内でずれた位置にある生体を正しく検知することができる。
【００６７】
また、第２のセンサ素子１２を第１のセンサ素子１１の配置領域内に２次元状にグループごとに間隔を空けて、かつ、グループ内では連続して配置する（図３（ｆ））ことにより、第２のセンサ素子１２が配置された範囲内でずれた位置にある生体を正しく検知すると共に、グループ内で間隔を空けて配置したときよりも、第２のセンサ素子１２の耐久性を高めることができる。
【００６８】
また、信号処理部２０が第２のセンサ素子１２の出力信号のうち所定数以上または所定の割合以上の信号が生体検知を示したときに、生体を検知したと判断することにより、より正確に生体を検知することができる。
【００６９】
なお、ここまで、生体情報として指紋画像を取得し、指紋認証処理を行う生体情報処理装置について説明したが、好適な第１のセンサ素子１１および第２のセンサ素子１２を用いることにより、指紋以外の生体情報（例えば、虹彩、血管パターン、顔の形状など）を取得して、所定の処理（例えば、照合処理など）を実行する生体情報処理装置を構成することもできる。
【図面の簡単な説明】
【００７０】
【図１】本発明の実施形態に係る生体情報処理装置の構成を示すブロック図である。
【図２】図１に示す生体情報処理装置におけるセンサ素子の配置例を示す図である。
【図３】図１に示す生体情報処理装置におけるセンサ素子の他の配置例を示す図である。
【図４】図１に示す生体情報処理装置の信号処理部による指紋認証処理を示すフローチャートである。
【図５】図１に示す生体情報処理装置の具体例を示すブロック図である。
【図６】一般的な指紋認証処理のフローチャートである。
【図７】静電容量式の指紋センサにおける蓄積電荷量の変化を示す図である。
【符号の説明】
【００７１】
１０…センシングデバイス
１１…第１のセンサ素子
１２…第２のセンサ素子
２０…信号処理部
３１…第１のセンサ出力信号
３２…第２のセンサ出力信号
４０…コンピュータ
４９…外部記憶媒体
【図１】
2007167471.tif 000003
【図２】
2007167471.tif 000004
【図３】
2007167471.tif 000005
【図４】
2007167471.tif 000006
【図５】
2007167471.tif 000007
【図６】
2007167471.tif 000008
【図７】
2007167471.tif 000009